(57)【特許請求の範囲】
【請求項１】
先端硬質部に少なくとも照明手段及び観察手段とを装着し、照明手段は照明用レンズ鏡筒内に装着した照明用レンズにライトガイドの出射端を臨ませたものであり、また観察手段は少なくとも対物レンズ鏡胴内に対物光学系を設けたものから構成される内視鏡の挿入部において、前記先端硬質部は、保持部と、この保持部に挿脱可能に嵌合されるカバー部とから構成し、これら保持部とカバー部との間に、少なくとも保持部側の外周面から半径方向内向きに形成した凹溝を有し、前記照明用レンズ鏡筒及び対物レンズ鏡筒を挿通する挿通部を形成し、かつ保持部の各凹溝の開口幅をそれぞれ照明用レンズ鏡筒及び対物レンズ鏡筒の外径以上となし、かつこれら凹溝と照明用レンズ鏡筒及び対物レンズ鏡筒との間には係脱可能な軸線方向への位置決め手段を設ける構成としたことを特徴とする内視鏡の挿入部。
【請求項２】
前記先端硬質部には、さらに処置具ガイド手段の導出口を設け、この処置具ガイド手段は処置具挿通チャンネルが嵌合される処置具挿通パイプから構成し、前記保持部には、概略１２０°毎に３箇所の凹溝を形成して、これら各凹溝には、前記照明用レンズ鏡筒，対物レンズ鏡筒及び処置具挿通パイプを前記位置決め手段により軸線方向に位置決めした状態で装着する構成としたことを特徴とする請求項１記載の内視鏡の挿入部。
【請求項３】
前記保持部とカバー部との接合面と、前記挿通部と照明用レンズ鏡筒，対物レンズ鏡筒及び処置具挿通パイプの外周面との間の隙間にシール材を充填する構成としたことを特徴とする請求項１または請求項２記載の内視鏡の挿入部。
【請求項４】
前記先端硬質部にはアングル部を連設して設け、このアングル部は、所定数のアングルリングを順次枢着する湾曲管と、この湾曲管を覆うネット及び弾性チューブからなる外皮層とから構成し、前記保持部の基端側に前記湾曲管の先端に位置するアングルリングが当接する段差を形成し、また前記カバー部に外皮層を連結すると共に、このカバー部と前記保持部との間には、カバー部が保持部内をアングル部側に通過しないように保持するストッパ手段を設ける構成としたことを特徴とする請求項１または請求項２記載の内視鏡の挿入部。
【請求項５】
前記位置決め手段は、前記照明用レンズ鏡筒，対物レンズ鏡筒及び処置具挿通パイプの外周面にそれぞれ設けた突起と、前記各凹溝の溝底に形成され、この突起が嵌合する位置決め凹部とから構成したことを特徴とする請求項２記載の内視鏡の挿入部。
【請求項６】
前記照明用レンズ鏡筒，対物レンズ鏡筒及び処置具挿通パイプの中心は、前記保持部の中心位置から半径方向にほぼ等しい位置となるように装着し、かつこの保持部に形成した凹溝は前記照明用レンズ鏡筒，対物レンズ鏡筒及び処置具挿通パイプの外径の概略半円形状となし、また前記カバー部にも同じ半円形状の凹溝を形成する構成としたことを特徴とする請求項２記載の内視鏡の挿入部。
【発明の詳細な説明】
【０００１】
【発明の属する技術分野】
本発明は医療用等として用いられる内視鏡の挿入部に関するものであり、特に細径に形成した挿入部に関するものである。
【０００２】
【従来の技術】
医療用等として用いられる内視鏡は、本体操作部に体腔内等への挿入部を連設し、また本体操作部から少なくとも光源装置に接続されるユニバーサルコードにより構成されるものである。内視鏡の挿入部は、先端側から、先端硬質部、アングル部及び軟性部で構成されるが、先端硬質部には、少なくとも照明手段と観察手段とが設けられる。また、これらに加えて、鉗子その他の処置具を挿通するための処置具挿通チャンネル等も設けられる。
【０００３】
照明手段は、ライトガイドと、このライトガイドの出射端に臨むように配置した照明用レンズとを含むものである。照明用レンズは照明用レンズ鏡筒内に装着され、またライトガイドの出射側は所定の長さだけこの照明用レンズ鏡筒内に挿入されている。観察手段は、対物光学系を有し、この対物光学系の結像位置にはＣＣＤ等の固体撮像素子が配置されるか、またはイメージガイドの入射端が臨むようになっている。そして、対物光学系は、少なくとも対物レンズを含む光学素子が対物レンズ鏡筒内に装着される。固体撮像素子は対物レンズ鏡筒に固定され、またイメージガイドを用いる場合には、その入射側における所定の長さ分は対物レンズ鏡筒に挿入される。さらに、処置具挿通チャンネルは、軟性のチューブからなり、その先端には硬質の処置具挿通パイプに嵌合されている。
【０００４】
そして、先端硬質部には前述した照明手段，観察手段及び処置具挿通チャンネルを接続するための透孔が設けられ、照明用レンズ鏡筒，対物レンズ鏡筒及び処置具挿通パイプがこれらの透孔に挿通される。このように、照明用レンズ鏡筒，対物レンズ鏡筒及び処置具挿通パイプは先端硬質部に設けた透孔に固定するが、固定方式としては、まず接着剤等を用いて固着する方式がある。また、少なくとも対物レンズ鏡筒については先端硬質部の側面に止めねじを螺挿してこの止めねじを対物レンズ鏡筒の外周面に押し付けることによって固定する方式が一般的に採用される。
【０００５】
【発明が解決しようとする課題】
前述した照明用レンズ鏡筒，対物レンズ鏡筒及び処置具挿通パイプの固定方式のうち、接着剤等で直接固着する方式にあっては、これら各部材を組み付けた後に容易には分解できなくなるために、それらの修理や交換が極めて面倒になったり、部分的な修理を行えない場合もある等といった問題点がある。対物レンズ鏡筒を止めねじで固定する構成としているのは、観察手段の修理や部品交換等を容易にするためである。従って、止めねじを脱着することにより対物レンズ鏡筒は先端硬質部から容易に脱着できるようになるが、この止めねじにより固定する方式では、この止めねじを装着する分だけ先端硬質部の外径が太くなってしまうという問題点がある。特に、細い体腔管内等に挿入するために、挿入部の外径寸法を極めて細くしなければならない場合には、各部材の固定を止めねじで行うのは実質的に不可能な場合もある。
【０００６】
本発明は以上の点に鑑みてなされたものであって、その目的とするところは、挿入部における先端硬質部を格別太径化させることなく、挿入部に装着される各部材を容易に着脱できるようにして先端硬質部に固定することにある。
【０００７】
【課題を解決するための手段】
前述した目的を達成するために、本発明は、先端硬質部に少なくとも照明手段及び観察手段とを装着し、照明手段は照明用レンズ鏡筒内に装着した照明用レンズにライトガイドの出射端を臨ませたものであり、また観察手段は少なくとも対物レンズ鏡胴内に対物光学系を設けたものから構成される内視鏡の挿入部であって、前記先端硬質部は、保持部と、この保持部に挿脱可能に嵌合されるカバー部とから構成し、これら保持部とカバー部との間に、少なくとも保持部側の外周面から半径方向内向きに形成した凹溝を有し、前記照明用レンズ鏡筒及び対物レンズ鏡筒を挿通する挿通部を形成し、かつ保持部の各凹溝の開口幅をそれぞれ照明用レンズ鏡筒及び対物レンズ鏡筒の外径以上となし、かつこれら凹溝と照明用レンズ鏡筒及び対物レンズ鏡筒との間には係脱可能な軸線方向への位置決め手段を設ける構成としたことをその特徴とするものである。
【０００８】
ここで、先端硬質部には、さらに処置具ガイド手段の導出口を設け、この処置具ガイド手段は処置具挿通チャンネルが嵌合される処置具挿通パイプから構成し、保持部には、概略１２０°毎に３箇所の凹溝を形成して、これら各凹溝には、照明用レンズ鏡筒，対物レンズ鏡筒及び処置具挿通パイプを位置決め手段により軸線方向に位置決めした状態で装着する構成とするのが望ましい。保持部とカバー部との接合面と、挿通部と照明用レンズ鏡筒及び対物レンズ鏡筒、さらには処置具挿通パイプの外周面との間には隙間が生じることになるが、この隙間を埋めて挿入部内を気密に保持するために、これらの隙間をシール材を充填する。そして、挿入部において、先端硬質部に、所定数のアングルリングを順次枢着する湾曲管と、この湾曲管を覆うネット及び弾性チューブとからなるアングル部を連設する構成とした場合には、保持部の基端側に湾曲管の先端に位置するアングルリングが当接する段差を形成し、またカバー部に外皮層を連結し、さらにカバー部の基端面を保持部における大径部の段差に当接させるように構成できる。また、位置決め手段としては、例えば照明用レンズ鏡筒，対物レンズ鏡筒、さらには処置具挿通パイプの外周面に突起を設け、また保持部に形成した各凹溝の溝底に形成され、この突起が嵌合する位置決め凹部とから構成することができる。
【０００９】
照明用レンズ鏡筒，対物レンズ鏡筒及び処置具挿通パイプの外径をほぼ同じ大きさとなし、かつこれら照明用レンズ鏡筒，対物レンズ鏡筒及び処置具挿通パイプは保持部の中心位置から半径方向にほぼ等しい位置となるように装着する構成とすることができ、さらに保持部に形成した凹溝は照明用レンズ鏡筒，対物レンズ鏡筒及び処置具挿通パイプの外径の概略半円形状となし、またカバー部にも同じ半円形状の凹溝を形成する構成とすることができる。
【００１０】
【発明の実施の形態】
以下、図面に基づいて本発明の実施の形態を説明する。而して、図１に内視鏡の全体構成を示す。同図において、１は本体操作部、２は挿入部、３はユニバーサルコードである。挿入部２には、図２に示したように、照明手段１０，観察手段２０及び処置具ガイド手段３０が設けられており、先端側から先端硬質部２ａ，アングル部２ｂ及び軟性部２ｃとなっている。軟性部２ｃは挿入部２における大半の長さを構成するものであり、体腔内等への挿入経路に沿って任意の方向に曲がる軟性構造のものである。また、アングル部２ｂは、本体操作部１に設けたアングル操作手段４を操作することによって、遠隔操作で湾曲させるためのものであって、これによって先端硬質部２ａを所望の方向に向けることができるようになっている。なお、処置具ガイド手段３０は必ずしも設ける必要はなく、またこれらの他にも観察手段２０を洗浄するための送気送液管等を設けるようにすることもできる。
【００１１】
次に、内視鏡に設けられる照明手段１０，観察手段２０及び処置具ガイド手段３０の具体的な構成を図３に示す。なお、以下の説明においては、これら照明手段１０，観察手段２０及び処置具ガイド手段３０を総称する際には、内視鏡内挿通部材という。
【００１２】
照明手段１０は、照明光の伝送手段として、光ファイババンドルからなるライトガイド１１と、このライトガイド１１の出射端面１１ａに対面するように配置した照明用レンズ１２（発散レンズ）とを有し、この照明用レンズ１２は照明用レンズ鏡筒１３の先端部に嵌合されている。また、ライトガイド１１の出射端面１１ａもこの照明用レンズ鏡筒１３内に挿入されている。そして、ライトガイド１１は、挿入部２から本体操作部１を経てユニバーサルコード３内に延在されており、このユニバーサルコード３の先端に設けたコネクタを光源装置（図示せず）に接続することによって、照明光を伝送できるように構成されている。
【００１３】
観察手段２０は、対物光学系２１と、この対物光学系２１の光路の途中にプリズム２１ａを設けて、このプリズム２１ａにより光路を９０°曲げた上で、その結像位置に配置した固体撮像素子２２とを有し、固体撮像素子２２は基板２３に搭載されている。対物光学系２１は、対物レンズ鏡筒２４内に装着されており、また固体撮像素子２２は、例えばこの対物レンズ鏡筒２４の端面に固着して設けられる。そして、この固体撮像素子２２を搭載した基板２３からはケーブル２５が引き出されており、このケーブル２５はライトガイド１１と同様、本体操作部１からユニバーサルコード３内に挿通されて、プロセッサ（図示せず）に着脱可能に接続される。なお、観察手段２０としては、固体撮像素子２２に代えて、イメージガイドを用いることもできる。この場合には、本体操作部１に接眼部を装着して、イメージガイドの入射端を対物光学系２１の結像位置に配置すると共に、その出射端を接眼レンズを装着した接眼部に臨ませるように構成する。
【００１４】
さらに、処置具ガイド手段３０は、鉗子や高周波処置具等の処置具を内視鏡をガイド手段として体腔内に挿入して、患部の治療等、適宜の処置を施すためのものである。この処置具ガイド手段３０は、曲げ方向に可撓性を有するチューブ材からなる処置具挿通チャンネル３１の先端を、金属等の硬質パイプからなる処置具挿通パイプ３２を嵌合・固定することにより構成される。そして、処置具挿通チャンネル２１は、本体操作部１の挿入部２への連設部近傍にまで延在されて、この位置に設けた処置具導入部５に接続される。
【００１５】
以上の構成を有する照明手段１０，観察手段２０及び処置具ガイド手段３０からなる内視鏡内挿通部材の先端部分、つまり照明用レンズ鏡筒１３，対物レンズ鏡筒２４及び処置具挿通パイプ３２が先端硬質部２ａに固定される。そこで、図４乃至図６に、この先端硬質部２ａの構造及びアングル部２ｂへの連結構造を示す。
【００１６】
先端硬質部２ａは、共に金属や硬質プラスチック等からなる保持部４０と、カバー部４１とから構成される。保持部４０には、３箇所において、その外周面側から半径方向内向きに凹溝４２，４３，４４が形成されている。凹溝４２には照明用レンズ鏡筒１３が、また凹溝４３には対物レンズ鏡筒２４が、さらに凹溝４４には処置具挿通パイプ３２がそれぞれ嵌合されるようになっている。凹溝４２，４３，４４は、それぞれ少なくとも照明用レンズ鏡筒１３，対物レンズ鏡筒２４及び処置具挿通パイプ３２の各直径とほぼ同じか、またはそれより僅かに広い幅を有する導入用開口４２ａ，４３ａ，４４ａを有し、また照明用レンズ鏡筒１３，対物レンズ鏡筒２４及び処置具挿通パイプ３２と実質的に同じ曲率を有する収容部４２ｂ，４３ｂ，４４ｂを有するものである。従って、照明用レンズ鏡筒１３，対物レンズ鏡筒２４及び処置具挿通パイプ３２は、保持部４０の半径方向外側からそれぞれ凹溝４２〜４４内に挿通させるようになっており、これら凹溝４２〜４４は各部材の挿通部として機能する。そして、それらを収容させた状態では、図６に示したように、これら照明用レンズ鏡筒１３，対物レンズ鏡筒２４及び処置具挿通パイプ３２は、保持部４０の外径より突出しないように、かつほぼ保持部４０の外径と一致する位置となるようにして収容されるようになっている。
【００１７】
以上のようにして保持部４０の凹溝４２〜４４内に照明用レンズ鏡筒１３，対物レンズ鏡筒２４及び処置具挿通パイプ３２が収容されるが、その収容状態で先端硬質部２ａの軸線方向において、所定の位置、つまり先端硬質部２ａの先端面とほぼ同一平面となる位置に位置決めするために、照明用レンズ鏡筒１３，対物レンズ鏡筒２４及び処置具挿通パイプ３２の外周面には、それぞれ突起１３ａ，２４ａ及び３２ａが形成されている。また、凹溝４２〜４４における収容部４２ｂ〜４４ｂの溝底部には、これら突起１３ａ，２４ａ及び３２ａをほぼ密嵌状態に嵌合させる位置決め凹部４２ｃ〜４４ｃが設けられている。従って、突起１３ａ，２４ａ及び３２ａと、位置決め凹部４２ｃ〜４４ｃとによって、照明用レンズ鏡筒１３，対物レンズ鏡筒２４及び処置具挿通パイプ３２を保持部４０に対して軸線方向に位置決めする位置決め手段が構成され、しかもそれらは保持部４０に対して着脱可能となる。
【００１８】
保持部４０の凹溝４２〜４４内に照明用レンズ鏡筒１３，対物レンズ鏡筒２４及び処置具挿通パイプ３２を収容させた状態で、さらにこの保持部４０の外周部にカバー部４１を嵌合させることによって、これら照明用レンズ鏡筒１３，対物レンズ鏡筒２４及び処置具挿通パイプ３２が先端硬質部２ａに完全に固定されることになる。つまり、軸線方向には突起１３ａ，２４ａ及び３２ａの位置決め凹部４２ｃ〜４４ｃへの嵌合により、また軸線と直交する方向はカバー部４１により規制される。そして、照明用レンズ鏡筒１３，対物レンズ鏡筒２４及び処置具挿通パイプ３２の外周面，保持部４０の凹溝４２〜４４の内面，カバー部４１の内面に形成される隙間にはシール材４５が充填される。
【００１９】
而して、図５から明らかなように、アングル部２ｂは、アングルリング５０を所定数だけ相互に枢着することにより形成される湾曲管５１の外周面に金属線材を編組してなるネット５２が被着され、さらにこのネット５２の外周面にはゴムチューブ等からなり、弾性を有する外皮層５３が被着される。そして、先端硬質部２ａを構成する保持部４０は湾曲管５１を構成するアングルリング５０のうちの先端リング５０ａと連結され、またカバー部４１は外皮層５３と連結される。このために、保持部４０の基端側の部位には円環状突条４６が突設されており、湾曲管５１を構成する先端リング５０ａの端面がこの突条４６の立ち上がり面に突き当たるようにして嵌合される。また、カバー部４１の基端側には円環溝４１ａが形成されており、外皮層５３の先端は、この円環溝４１ａ内に嵌合されて、この円環溝４１ａ内で糸巻き５４及び接着により固着されている。さらに、カバー部４１の先端部内周には、内向きのストッパ凸部４７が３箇所形成されており、これら各ストッパ凸部４７は、保持部４０において、３箇所の凹溝間の位置に形成したストッパ受け４８に係合するようになっている。
【００２０】
外皮層５３はアングル部２ｂの外面を形成しており、アングル操作時によりアングル部２ｂが湾曲した時には、部分的に伸縮することになる。外皮層５３をゴムチューブで形成するのは、この伸縮を可能にするためのものである。しかも、外皮層５３は皺が生じないようにして組み込まれることから、装着状態では外皮層５３は常に張力が作用した状態になる。従って、この外皮層５３に連結したカバー部４１は、常にアングル部２ｂ側に引き込まれる方向の力が作用する。その結果、カバー部４１に設けたストッパ凸部４７が保持部４０のストッパ受け４８に圧接するようになり、さらにこの保持部４０に形成した円環状突条４６が湾曲管５１における先端リング５０ａに圧接される。この結果、先端硬質部２ａを構成する保持部４０及びカバー部４１はアングル部２ｂに連結した状態に保持され、かつ保持部４０とカバー部４１とが嵌合状態で相対位置ずれするのを防止している。
【００２１】
以上のように構成することによって、内視鏡の挿入部２に挿通させた各内視鏡内挿通部材の先端部分は先端硬質部２ａに着脱可能に固定される。つまり、照明用レンズ鏡筒１３，対物レンズ鏡筒２４及び処置具挿通パイプ３２が先端硬質部２ａの端面における照明窓４，観察窓５及び処置具導出用開口６に臨むように配置され、かつ出射端１１ａが照明用レンズ鏡筒１３内に挿入させたライトガイド１１，対物レンズ鏡筒２４の端面に取り付けた固体撮像素子２２からのケーブル２５及び処置具挿通パイプ３２に接続した処置具挿通チャンネル３１は挿入部２内から所要の位置まで延在される。そして、これら内視鏡内挿通部材は、照明用レンズ鏡筒１３，対物レンズ鏡筒２４及び処置具挿通パイプ３２に設けた突起１３ａ，２４ａ及び３２ａが保持部４０の凹溝４２〜４４の位置決め凹部４２ｃ〜４４ｃにほぼ密嵌状に係合し、かつこれらの外周面はカバー部４１の内面とほぼ当接する状態となっているので、それらは軸線方向及び軸線方向と直交する方向に完全に固定される。ここで、突起１３ａ，２４ａ及び３２ａの突出長さは極めて微小なものであっても、確実に固定できるので、照明用レンズ鏡筒１３，対物レンズ鏡筒２４及び処置具挿通パイプ３２の固定機構の構成が極めて小型化、コンパクト化され、もって先端硬質部２ａを細径化できる。
【００２２】
また、先端硬質部２ａそのものは保持部４０とカバー部４１とに分割されているが、保持部４０はアングル部２ｂの先端リング５０ａに固定され、またカバー部４１は外皮層５３に固定され、かつこの外皮層５３の張力によりカバー部４１の先端部に形成したストッパ凸部４７が保持部４０に設けたストッパ受け４８に係合して、カバー部４１は保持部４０に嵌合した状態で、それ以上アングル部２ｂ側に相対移動できないように保持されている。さらに、保持部４０はアングル部２ｂ側に押動する力が作用するが、この保持部４０はアングル部２ｂの湾曲管５１を構成する先端リング５０ａに圧接される。この結果、たとえ先端硬質部２ａを構成するカバー部４１及びその内部に配置した保持部４０や、先端硬質部２ａの先端面に設けた照明手段１０，観察手段２０及び処置具ガイド手段３０に対して、様々な方向からの外力等が作用しても、位置ずれしたり、脱落したりするおそれはない。
【００２３】
各々の内視鏡内挿通部材は装着状態では確実に固定されるものの、その組み付け及び取り外しを容易に行うことができる。このためには、まず先端硬質部２ａとアングル部２ｂとを分離する。この分離は糸巻き５４を除去することによって、カバー部４１と外皮層５３とを分離することにより行われる。
【００２４】
前述のようにして先端硬質部２ａをアングル部２ｂから分離させた後に、先端硬質部２ａを構成するカバー部４１を保持部４０から分離する。このカバー部４１は保持部４０に対してアングル部２ｂ側へは動かせないが、それとは反対側、つまり先端側に向けて移動させることによって、カバー部４１を保持部４０から分離できる。ここで、カバー部４１と保持部４０との間にはシール材４５が充填されているために、この分離時に多少の抵抗はあるものの、格別の工具等を用いなくても容易に分離できるようになる。従って、分離時にカバー部４１や保持部４０、さらには各内視鏡内挿通部材等を損傷させることはない。また、カバー部４１を分離した後に、保持部４０における各凹溝４２〜４４内に装着されている照明用レンズ鏡筒１３，対物レンズ鏡筒２４及び処置具挿通パイプ３２を、その導入用開口４２ａ〜４４ａ側に引き出すことによって、容易に取り出すことができる。従って、これら内視鏡内挿通部材の修理や部品交換等を容易に行うことができる。しかも、保持部４０及びカバー部４１にはシール材４５が付着しているが、洗浄することによって、容易にシール材４５を剥離することができる。
【００２５】
また、先端硬質部２ａに各内視鏡内挿通部材を装着し、かつこの先端硬質部２ａをアングル部２ｂに連結するには、前述とは反対の作業を行えば良い。つまり、保持部４０の各凹溝４２〜４４の導入用開口４２ａ〜４４ａから照明用レンズ鏡筒１３，対物レンズ鏡筒２４及び処置具挿通パイプ３２を挿入して、それらの突起１３ａ，２４ａ及び３２ａを凹溝４２〜４４の位置決め凹部４２ｃ〜４４ｃに係合させる。次いで、この凹溝４２〜４４の空間部と外周面にシール材４５を塗布して、カバー部４１を保持部４０に、その内面突条４１ｂが先端側縮径部４０ｂに当接する位置まで嵌合させる。そして、保持部４０をアングル部２ｂ側の先端リング５０ａに連結・固着し、またカバー部４１に外皮層５３を嵌合させて、糸巻き５４により固定する。これによって、挿入部２の先端硬質部２ａに各内視鏡内挿通部材を容易にアセンブルできる。
【００２６】
前述した実施の形態においては、保持部の外周面にのみ凹溝を形成し、カバー部の内周面は円筒面としたが、図７に示したように、外周面に半円形状の凹溝１４２，１４３，１４４を形成した保持部１４０と、内周面に半円形状の凹溝１４６，１４７，１４８を形成したカバー部１４１とから先端構成部１０２ａを構成することができる。そして、保持部１４０の凹溝１４２，１４３，１４４の溝底部には、照明用レンズ鏡筒１１３，対物レンズ鏡筒１２４及び処置具挿通パイプ１３２の外周面に形成した突起１１３ａ，１２４ａ及び１３２ａが係合する位置決め凹部１４２ｃ，１４３ｃ，１４４ｃを形成する。従って、保持部１４０にカバー部１４１を嵌合させることによって、共に半円形状の凹溝１４２，１４３，１４４と凹溝１４６，１４７，１４８とで３箇所の挿通部が形成される。さらに、カバー部１４１から保持部１４０内に向けて止めねじ１５を螺挿することによって、保持部１４０はカバー部１４１に連結した状態で固定することができる。従って、アングル部に連結されるのは、カバー部１４１であり、保持部１４０はこのカバー部１４１に固定されることになる。
【００２７】
以上のように構成することによっても、前述した第１の実施の形態と同様、先端硬質部１０２ａに各内視鏡内挿通部材の先端部分を着脱可能に固定することができる。しかも、それらの固定は位置決め凹部に突起を係合させることにより行われることから、これらの固定機構の構成が小型化、コンパクト化できるようになって、先端硬質部１０２ａを細径化できる。
【００２８】
ここで、半円形状の凹溝１４２，１４３，１４４と凹溝１４６，１４７，１４８とで断面が円形の挿通部が３箇所形成されるが、少なくともこれら各挿通部の中心は、保持部１４０の中心から同じ距離だけ離れた位置に設けなければならない。そこで、例えば、挿通部の径を全て同じとし、またこれら各挿通部に挿通される照明用レンズ鏡筒１１３，対物レンズ鏡筒１２４及び処置具挿通パイプ１３２の外径が挿通部と同じで、それぞれ１２０°の位置関係に配置するように構成すると、保持部１４０及びカバー部１４１の加工が容易になり、しかも照明用レンズ鏡筒１１３，対物レンズ鏡筒１２４及び処置具挿通パイプ１３２の着脱も容易になる。
【００２９】
【発明の効果】
本発明は以上のように、先端硬質部を保持部とカバー部との２部材から構成して、少なくとも照明用レンズ鏡筒及び対物レンズ鏡筒を軸線方向及び軸線と直交する方向とに移動不能に装着することによって、挿入部における先端硬質部を格別太径化させることなく、挿入部に装着される各部材を容易に着脱できるようにして先端硬質部に固定することができる等の効果を奏する。
【図面の簡単な説明】
【図１】内視鏡の外観図である。
【図２】挿入部の先端部分の正面図である。
【図３】内視鏡内挿通部材を構成する照明手段，観察手段及び処置具ガイド手段の要部断面図である。
【図４】各内視鏡内挿通部材と共に示す先端構成部の分解斜視図である。
【図５】図２のＡ−Ａ断面図である。
【図６】図５のＢ−Ｂ断面図である。
【図７】本発明の他の実施の形態を示す図６と同様の断面図である。
【符号の説明】
１  本体操作部    ２  挿入部
２ａ  先端硬質部    ２ｂ  アングル部
２ｃ  軟性部    １０  照明手段
１３，１１３  照明用レンズ鏡筒    ２０  観察手段
２４，１２４  対物レンズ鏡筒    ３０  処置具ガイド手段
３２，１３２  処置具挿通パイプ
１３ａ，２４ａ，３２ａ，１１３ａ，１２４ａ，１３２ａ  突起
４０，１４０  保持部    ４１，１４１  カバー部
４２，４３，４４，１４２，１４３，１４４，１４６，１４７，１４８  凹溝
４２ａ，４３ａ，４４ａ，１４２ａ，１４３ａ，１４４ａ  位置決め用凹部
４５  シール材    ５０  アングルリング
５０ａ  先端リング    ５３  外皮層
５４  糸巻き    １５２  止めねじ
【図１】
0003721882.tif 000002
【図２】
0003721882.tif 000003
【図３】
0003721882.tif 000004
【図４】
0003721882.tif 000005
【図５】
0003721882.tif 000006
【図６】
0003721882.tif 000007
【図７】
0003721882.tif 000008